(57)【要約】【課題】  読み取り時の解像度を送信時の解像度に変換すると画質が劣化する。【解決手段】  ファクシミリ送信用の画像は、ファクシミリ送信用の解像度で読み取る。【選択図】  図１
2005198129.tif 000002
【特許請求の範囲】
【請求項１】
スキャナの解像度情報を保持する手段を備えたスキャナと、ファクシミリ通信制御部と、ファクシミリ送信でき得る送信解像度情報を保持する手段と、解像度変換を行う画像処理部とを有した、スキャナ部が分離可能な画像通信処理装置において、
スキャナの解像度情報と送信解像度情報とを比較して、比較結果によって送信解像度を選択し、スキャナから読み取った画像データを、その選択した解像度に応じて解像度変換を行いファクシミリ送信することを特徴とする。
【請求項２】
請求項１の画像通信処理装置において、スキャナの解像度情報と送信解像度情報とを比較して、同じ解像度があればその解像度を選択し、同じ解像度がなければスキャナ解像度以下でそれに最も近い送信解像度を選択することを特徴とする。
【発明の詳細な説明】
【技術分野】
【０００１】
本発明は、スキャナ部が分離可能な、通信機能付き画像処理装置における、送信解像度の自動設定に関するものである。
【背景技術】
【０００２】
従来のファクシミリ通信装置では、原稿の画像を送信する際、その画像情報が細かい場合は、情報の欠落が起こらないように操作部から送信解像度群の中から高解像度を選択して読み取るように設定し、画像情報が粗い場合は、通信時間を短くするために、送信解像度の中から情報の欠落が生じない程度に低解像度を選んで読み取るように設定する、といったことが行われていた。
【０００３】
スキャナ部が分離可能な通信装置においては、通信装置に、様々なスキャナ解像度のスキャナが接続される可能性がある。この場合、送信（読取り）解像度の設定を同じにしても、異なったスキャナ解像度のスキャナで読み取った場合は、読み取った画像に違いが生じることがある。以下にその詳細を記す。
【０００４】
図１０−ａは、白地に黒の縦線が書かれた原稿の一部分を拡大したもので、これを主走査方向にスキャンした場合の画像信号を図１０−ｂに示す。この原稿を例えば２００ｄｐｉのスキャナで読み取り、画像信号（アナログ）を２値化（デジタル化）すると図１０−ｄのようになる（００１１０）。設定された送信（読取り）解像度が１００ｄｐｉの場合、単純に間引くと画像データは図１１−ｂのようになる（０１）。この時、原稿の黒線を示すデータ「１」は失われていない。
【０００５】
同様に４００ｄｐｉのスキャナで読み取った場合、２値化した画像データは図１０−ｃのようになる（００００１１１０００）。これを送信（読取り）解像度１００ｄｐｉとして間引くと図１１−ａのようになる場合が生じる（００）。この時、原稿の黒線に示すデータ「１」は失われてしまったことになる。
【０００６】
このように、同じ送信（読取り）解像度で読み取ったとしても、スキャナの解像度によっては情報の欠落が生じる可能性がある。読み取り時の解像度を送信時の解像度に変換するものはある（例えば特許文献１）。
【特許文献１】特開平０５−０８３５３０
【発明の開示】
【発明が解決しようとする課題】
【０００７】
つまり、スキャナ部が分離可能な、通信機能付き画像処理装置において、スキャナの解像度と無関係に送信解像度を低く設定した場合は、その時接続されているスキャナの解像度によっては、情報欠落が生じることが考えられる。
【０００８】
また、ユーザーは原稿の様子から送信解像度を予想を立てて設定しなければならず、操作が煩雑で、しかもその設定が適切であるかどうかも明確でなかった。
【課題を解決するための手段】
【０００９】
本発明は、上記問題点を解決するために考えられた、スキャナ部が分離可能な通信機能付き画像処理装置で、接続されているスキャナの解像度情報をスキャナから得て、その情報とファクシミリ送信でき得る解像度群と比較して、その比較結果から送信解像度を選択し、解像度変換をして送信するものである。
【発明の効果】
【００１０】
以上説明したように、本発明によれば、スキャナ部が分離可能な、通信機能付き画像処理装置において、スキャナ部に接続されたスキャナの解像度と、通信時の送信解像度によって生じる可能性のある画像情報の欠落を防ぐ事ができ、ユーザーの操作性も向上する。
【発明を実施するための最良の形態】
【００１１】
以下、本発明の一実施形態を図面に基づき説明する。
【００１２】
図２は、本発明の一実施形態に係る通信機能付き画像処理装置の構成を示す縦断面図である。同図において１００は画像処理装置で、画像読み取り部であるリーダ部１１０と、画像記録部であるプリンタ部１５０とからなる。
【００１３】
リーダ部１１０は、原稿給送装置１４０、原稿台ガラス１１１、スキャナ部のランプ１１２、スキャナ・ユニット１１３、ミラー１１４，１１５，１１６、レンズ１１７、ＣＣＤイメージ・センサ部（以下、ＣＣＤと記述する）１１８を有している。
【００１４】
プリンタ部１５０は、露光制御部１５１、感光体１５２、現像器１５３、記録紙（転写紙）積載部１５４，１５５、転写部１５６、定着部１５７、排紙部１５８、搬送方向切り替え部材１５９、再給紙用記録紙（転写紙）積載部１６０、ソータ１７０を有している。
【００１５】
次に、上記構成になる画像処理装置の動作について説明する。
【００１６】
図２において、リーダ部１１０の原稿給送装置１４０上に積載された複数枚の原稿は、１枚づつ順次原稿台ガラス１１１上に搬送される。原稿が原稿台ガラス１１１の所定位置に搬送されると、スキャナ部のランプ１１２が点灯し且つスキャナ・ユニット１１３が移動して原稿がランプ１１２により照射される。原稿の反射光は、ミラー１１４，１１５，１１６及びレンズ１１７を介してＣＣＤ１１８に入力される。ＣＣＤ１１８に照射された原稿の反射光は、光電変換され、画像信号として出力される。
【００１７】
ＣＣＤ１１８より出力された画像信号はプリンタ部１５０に送られ、適宜画像処理が施されたのち（不図示）露光制御部１５１に送られる。露光制御部１５１にて変調された光信号に変換され、この光信号は感光体１５２を照射することにより、感光体１５２上に潜像が形成される。感光体１５２上に形成された潜像は、現像器１５３によって現像される。前記現像された、像の先端とタイミングを合わせて記録紙積載部１５４または記録紙積載部１５５より記録紙が搬送され、転写部１５６において前記現像された像が記録紙に転写される。記録紙に転写された像は、定着部１５７により記録紙に定着された後、排紙部１５８より装置外部に排出される。排紙部１５８から排出された記録紙は、ソータ１７０でソート機能が働いている場合には、各ビン１７２等に、またソート機能が働いていない場合には、ソータ１７０の最上位のビン１７１に排出される。
【００１８】
次に、順次読み込む画像を１枚の記録紙の両面に出力する場合について説明する。
【００１９】
定着部１５７により像が定着された記録紙を、一度、排紙部１５８まで搬送後、記録紙の搬送方向を反転して搬送方向切り替え部材１５９を介して再給紙用記録紙積載部１６０に搬送する。そして、次の原稿が準備されると、前記プロセスと同様にして原稿画像が読み取られるが、記録紙については再給紙用記録紙積載部１６０から給紙されるので、結局、同一記録紙の表面と裏面に２枚の原稿画像を出力することができる。
【００２０】
図３は、本実施の形態に係る画像処理装置１００の制御構成を示すブロック図であり、同図において、図２と同一部分には同一符号が付してある。
【００２１】
図３において、矢印Ａ部は前述のリーダ部１１０に、矢印Ｂ部は前述のプリンタ部１５０に含まれる。
【００２２】
ＣＣＤ１１８内で光電変換され、適宜アナログ増幅及びＡ／Ｄ変換された画像データは１２１のラインを介してリーダコントローラ１２０（以下Ｒコンと略す）に送られる。Ｒコン１２０では受け取った画像データをシェーディング補正をかけた後、画像転送バス３００を介してコントローラ２０１へと送る。又、Ｒコン内で生成したＣＣＤ１１８駆動用の各種タイミングパルスは１２２を介してＣＣＤ１１８へと送られる。
【００２３】
又、Ｒコン１２０にはステッピングモータ１２３が接続され、Ｒコン１２０の制御により、ステッピングモータ１２３が正／逆回転することにより、前述のスキャナ・ユニット１１３が往／復動し、原稿台ガラス１１１上の原稿を走査することができる。
【００２４】
コントローラ２０１はプリンタ部１５０及びリーダ部１１０を総合的に制御するユニットであり、各種制御用のデータをデータバス３０１を介してＲコン１２０とやりとりする。
【００２５】
ユーザーインターフェイス部２０５（以下Ｕｉと略す）はキーやＬＣＤ等の表示部からなり、キーの入力情報をコントローラ２０１におくり、又、コントローラ２０１から出力される表示データを受け取り、その表示データに従って表示を行う。
【００２６】
低圧電源ユニット２０３（以下ＬＶＴと略す）は商用電源（不図示）からＡＣ電圧を受け取り、コントローラ２０１の指示の元に、低圧電源を生成する。
【００２７】
低圧電源として、ＣＰＵ等の制御部に給電する制御電源（３．３Ｖ等）やモータやソレノイドを駆動するためのパワー電源（２４Ｖ等）を生成する。制御電源は３０２のラインを介してＲコンに供給されると共にプリンタ部１５０内の必要な各ユニットに供給される。（不図示）又、パワー電源は３０３のラインを介してＲコンに供給されると共にプリンタ部１５０内の必要な各ユニットに供給される。（不図示）
Ｒコン１２０より受け取った画像データはコントローラ２０１内で、変倍、エッジ強調、２値化等の画像処理を施された後、２０７のラインを介してプリンタコントローラ２０２（以下Ｐコンと略す）に送られる。Ｐコンはプリンタ部１５０の紙送り系の制御、画像形成に必要な帯電系の制御を行うユニットである。Ｐコン２０２は各種制御用のデータをデータバス２０８を介してコントローラ２０１とやりとりする。
【００２８】
又、２０７のラインを介して受け取った画像データに、プリントに必要な各種タイミングを付加して画像データバス２０９に出力する。
【００２９】
１５１は前述の露光制御部で、画像データバス２０９を介して受け取った画像データやタイミング信号に従ってレーザー（不図示）を所定の光量で発光させ、感光体１５２を照射することにより、感光体１５２上に潜像が形成される。
【００３０】
外部インターフェイス３０４は画像処理装置１００以外の装置、例えばパーソナルコンピュータと通信を行う為のインターフェイスであり、コントローラ２０１に接続されている。
【００３１】
図５は、図３において示されたＲコン１２０の構成を示すブロック図である。同図において、図３と同一部分については同一の符号を付してある。
【００３２】
ＣＰＵ１２４はリーダ部１１０の動作を制御していて、ローカルデータバス１３０を経由してパルス生成器１２５と初期画処理器１２６の設定及び動作タイミングを与えている。また、データバス３０１を経由してコントローラ２０１と情報の受け渡しを行っている。
【００３３】
ＣＰＵ１２４は更に、モータ制御信号１３３を使ってモータドライバ１２８を介してステッピングモータ１２３を制御する。
【００３４】
モータドライバ１２８はモータ制御信号１３３に含まれているステッピングモータの回転速度を示すモータクロック信号と回転方向信号及び駆動イネーブル信号に従ってモータ駆動線１３４によりステッピングモータ１２３を駆動する。ステッピングモータ１２３の駆動にはパワー電源３０３を使用する。
【００３５】
パルス生成器１２５は発振器１２７からクロックの供給を受け、ＣＰＵ１２４による設定に従ってＣＣＤタイミング信号１２２を生成しＣＣＤ１１８を駆動すると同時にタイミング信号１２２によってＣＣＤ１１８から送られてくる画像データ１２１に同期した画像クロック１３２を生成する。画像クロックのスピードは、ＣＣＤタイミング信号１２２との相関性を保った状態で、ＣＰＵ１２４により選択的に切換が可能である。
【００３６】
初期画処理器１２６はＣＣＤ１１８より送られてくる画像データ１２１にシェーディング処理を施して画像転送バス３００に画像クロック１３２に同期させて送り出す。データバス３０１に含まれる画像データに関する情報信号は直接に初期画処理器１２６に接続され、画像データに関連するクリティカルなタイミング信号の受け渡しを行っている。
【００３７】
本構成においては、ＣＰＵ１２４の動作クロックと画像クロック１３２は同期している必要性がないため、同期している状態を含めてお互いに任意に選択が可能となっている。
【００３８】
解像度情報保持部１２９はリーダ１００の解像度情報を持ち、その解像度情報はＣＰＵ１２４によって、データバス３０１を介してプリンタ部へ提供される。
【００３９】
解像度情報保持部１２９は、例えばＲＯＭで構成され、解像度に対応したビット列を出力する。
【００４０】
図４は、操作部２０５の構成例を示す平面図である。同図に示すように操作部２０５には、各種キーと、液晶表示装置からなるドットマトリックスで構成される表示部２０５ａとが配置されている。
【００４１】
表示部２０５ａは、画像処理装置の状態、コピー枚数、倍率、選択用紙及び各種操作モード画面を表示し、後述する各種コントロールキーにより操作される。
【００４２】
２０５ｂはスタートキーで、コピー動作を開始させるためのキーである。２０５ｃは復帰（リセット）キーで、設定モードを標準状態に復帰（リセット）させるためのキーである。２０５ｄはキー群で、コピー枚数やズーム倍率等を入力するための０〜９までのテンキーと、その入力をクリアするためのクリアキー等を有している。２０５ｅ，２０５ｆは濃度調整キーで、濃度をアップ／ダウンさせるためのキーである。
【００４３】
これらの濃度調整キー２０５ｅ，２０５ｆにより調整される濃度の状態は、バースケール状の濃度表示部２０５ｇに表示される。２０５ｈは自動濃度調整機能をオン／オフするためのキーと、その表示部である。２０５ｉは給紙段及びオート用紙選択モードを選択するためのキーであり、その選択状態は表示部２０５ａに表示される。２０５ｊ，２０５ｋ，２０５ｌはそれぞれ定形縮小モード、等倍モード、拡大モードを設定するためのキーである。２０５ｍはオート変倍モードを設定するためのキーで、その設定状態は表示部２０５ａに表示される。
【００４４】
図６はコントローラ２０１の構成を示すブロック図である。図においてＣＰＵ７０１はＲＯＭ７０２内のプログラムに基づき全体の制御を行う。
【００４５】
ＲＡＭ７０３はＣＰＵ７０１のワークエリア、及びスキャナ部１１０で読み取った画像の記憶にも使用する。７１３はシリアル通信コミュニケーションインターフェイスであり、ここを介してＣＰＵ７０１は前述のＲコン１２０、ＬＶＴ２０４、Ｐコン２０２と情報の送受信を行う。７１０はＰＣＩ／Ｆ部でバイセントロ等のインターフェイスであり、パソコンからプリントデータを受け取ったり、画像処理装置１００の状態をパソコンに通知したりする。７０９は画像データの圧縮及び伸長を高速に行う圧縮／伸長部である。ＪＢＩＧ，ＭＭＲ等のフォーマットをサポートする。７０８は１０ｂａｓｅ等のネットワークとのインターフェイス部であり、ＣＰＵ７０１はネットワーク上のコンピュータからプリントデータを受け取ったり、画像処理装置１００の状態をコンピュータに通知したりする。
【００４６】
７０７ファックス部であり、モデムや回線処理回路を含むものである。所定のフォーマットで圧縮された画像データを通信回線（以下ＰＳＴＮと略す）を介して送信したり、受信したりする。７１２は前述のＵｉ２０５とのインターフェイス部でＬＣＤコントローラを含む。ＣＰＵ７０１はここを介して表示データをＵｉ２０５に渡したり、キー入力データを受け取る。
【００４７】
７２０は画像処理部で、画像転送バス３００を介してリーダ部１１０より画像データを受け取り、画像処理（後述）を施した後、ビデオ入力Ｉ／Ｆ部７０５に出力する。ビデオ入力Ｉ／Ｆ部７０５ではタイミングを変換してＲＡＭ７０３にデータを記憶させる。一方、ＲＡＭ７０３に記憶された画像データはビデオ出力Ｉ／Ｆ部７０６ではタイミングを変換し、画像処理部７２０で画像処理（後述）を施した後画像転送バス２０７を介してＰコン２０２へと送られる。
【００４８】
７１４はＲＡＭテーブルで、ＲＡＭ７０３にある画像データをファックス部７０７で送信する際に、送信可能な解像度情報が蓄えられている。
【００４９】
７１４の送信可能な解像度情報は、例えば７０８，３０４のネットワークを介して、他のファックス部を使用して通信ができるようになった場合には更新されうる。
【００５０】
図７は画像処理部７２０の構成を示すブロック図である。８ビットの画像データはそのまま８ビットｂのデータとしてビデオ入力Ｉ／Ｆ部７０５へ送られる場合と、以下の画像処理を施される場合がある。
【００５１】
１３０４の変倍部で拡大や縮小の変倍処理、１３０３でフィルタ処理、１３０２でプリンタ等の特性にあわせてＬｏｇ変換、１３０１で誤差拡散等のアルゴリズムで２値化を行い情報量を少なくする。
【００５２】
ビデオ出力Ｉ／Ｆ部７０６からの６００ｄｐｉの画像データは１３０５のスムージング部で擬似的に２４００ｄｐｉのデータへ変換される。
【００５３】
図８はＰコン２０２の構成を示すブロック図である。図中８０１はプリンタ部のメカニカルな制御を行うＣＰＵで、ＲＯＭ８０２に記憶されたプログラムに従って制御を行う。８０３はＣＰＵ８０１が使用するＲＡＭである。８０４は入出力ポートであり、８０６の各種センサはここを介してＣＰＵ８０１に読み込まれる。
【００５４】
各種センサは例えば転写紙の有無を検出する紙センサ等が含まれる。８０４の入出力ポートの出力はドライバ８０５に接続され、ここで必要なドライバ電圧に変換され、各種負荷８０７へと接続される。各種負荷８０７には、定着ヒータ、紙送り用のモータやクラッチ、ソレノイド等を含む。
【００５５】
８０９はシリアル通信コミュニケーションインターフェイスであり、ここを介してＣＰＵ８０１は前述のコントローラ２０１と情報の送受信を行う。
【００５６】
定着部１５７の温度を検出する温度センサはＣＰＵ８０１のＡ／Ｄ入力に接続され、ＣＰＵ８０１はここで検出する温度に応じて定着ヒータの制御を行う。
【００５７】
８１０は画像処理部でコントローラ２０１から送られてきた画像データを主走査方向のタイミングをあわせて露光制御部１５１へと渡す。
【００５８】
図９はＬＶＴ２０３の構成を示すブロック図である。図中ＣＰＵ９０１はＬＶＴの動作を制御する、ＲＯＭ、ＲＡＭを含む１チップＣＰＵである。ＣＰＵ９０１は２０４のラインを介してコントローラ２０１と情報をやりとりする。
【００５９】
商用電源９０７は平滑回路９０２により平滑され、その出力は、９０３，９０４，９０５，９０６のＤＣ／ＤＣコンバータ部に接続される。（以下ＣＮＶ１〜４と略す）
ＣＮＶ１９０３は常時動作をしていて制御用の電源３．３ＶＡを作る。又この３．３ＶＡはＣＰＵ９０１に供給される。
【００６０】
ＣＮＶ２  ９０４は３．３ＶＢを作る。この電源はＣＰＵ９０１によりオン／オフ制御することができる。
【００６１】
ＣＮＶ３  ９０５はパワー電源（２４Ｖ）を作る。この電源はＣＰＵ９０１によりオン／オフ制御することができる。
【００６２】
ＣＮＶ４  ９０６はパワー電源（２可変）を作る。この電源はＣＰＵ９０１によりオン／オフ制御、及び出力電圧を設定することができる。又ＣＮＶ４  ９０６内には電流リミッタ回路が設けて有り、かつリミットを掛ける電流値もＣＰＵ９０１により設定することができる。
【００６３】
次に、上記説明した本実施形態に係る画像処理装置を概略で表わした図１ａを用いて、ファクシミリ送信動作する場合を説明する。同図において、前述された機能ブロックには同一の符号が付加されている。
【００６４】
リーダ部のＣＣＤ１１８によって読み取られた画像データは１２６でシェーディング補正、ＡＤ変換され、プリンタ部１５０へ送られる。プリンタ部１５０では、画像データは７２０で送信用解像度に解像度変換され２値化等の画像処理をされ一旦メモリに蓄えられる。そして符号化処理され７０７によって送信される。
【００６５】
７２０で解像度変換するにあたって、その解像度は図１ｂのように決められる。操作部よりファクシミリ送信が実行されるとプリンタ部１５０のＣＰＵは、リーダ部１１０の解像度情報を読み取る。そして送信可能な解像度群（例えば８×７．７ｐｅｌ／ｍｍ、１６×１５．４ｐｅｌ／ｍｍ等）の中に、同じ解像度があるか比較する。同じ解像度があれば、送信画像データがその解像度になるように画像処理部７２０の解像度変換の変倍率を設定する。同じ解像度がなければ、リーダ部の解像度以下で一番近い解像度を送信可能解像度群から選択して、送信画像データがその解像度になるように画像処理部７２０の解像度変換の変倍率を設定する。
【図面の簡単な説明】
【００６６】
【図１】本発明の特徴を表わす一実施例の概略構成図と動作フローチャートである。
【図２】本発明の一実施の形態に係る画像処理装置の概略構成を示す縦断面図である。
【図３】本発明の一実施の形態に係る画像処理装置の制御構成を示すブロック図である。
【図４】本発明の一実施の形態に係る画像処理装置の操作部の構成を示す平面図である。
【図５】本発明の一実施の形態に係る画像処理装置におけるＲコンの構成を示すブロック図である。
【図６】本発明の一実施の形態に係る画像処理装置におけるコントローラの構成を示すブロック図である。
【図７】本発明の一実施の形態に係る画像処理装置における画像処理部を説明するための図である。
【図８】本発明の一実施の形態に係る画像処理装置におけるＰコンを説明するブロック図である。
【図９】本発明の一実施の形態に係る画像処理装置における低圧電源を説明するブロック図である。
【図１０】従来の技術を説明するための図である。
【図１１】従来の技術を説明するための図である。
【符号の説明】
【００６７】
１００  画像処理装置
１１０  リーダ部
１１８  ＣＣＤイメージ・センサ部
１２６  初期画処理器
１２９  解像度情報保持部
１５０  プリンタ部
７０１  ＣＰＵ
７０３  画像メモリ
７０７  ＦＡＸ通信制御部
７１４  ＲＡＭテーブル
７２０  画像処理部
【図１】
2005198129.tif 000003
【図２】
2005198129.tif 000004
【図３】
2005198129.tif 000005
【図４】
2005198129.tif 000006
【図５】
2005198129.tif 000007
【図６】
2005198129.tif 000008
【図７】
2005198129.tif 000009
【図８】
2005198129.tif 000010
【図９】
2005198129.tif 000011
【図１０】
2005198129.tif 000012
【図１１】
2005198129.tif 000013